(57)【特許請求の範囲】
【請求項１】
演出口を有する回転体と、該演出口に遊技球を誘導するための横方向および奥行方向に延び遊技者から視認可能な誘導通路と、前記誘導通路への入球を検出する入球検出部を備える遊技機の擬似球演出装置であって、
前記回転体の下部に配置され、磁石と、磁石を移動させる磁石移動駆動部と、を有し、前記磁石を第一位置と、該第一位置より前記回転体に近い位置にある第二位置との間で移動させる磁石移動装置を備え、
前記磁石は、横長に、横長の長手方向の中心部が端部よりも前記誘導通路と近くなるように、前記誘導通路の下側に配置され、
大当たりが決定した状態において、
前記入球検出部による入球を検出すると、これに応答して、前記磁石移動駆動部が前記磁石を前記第一位置から前記第二位置へ移動させ、擬似球に及ぼす磁力を増大させて擬似球を前記誘導通路に留めて遊動させ、前記回転体の前記演出口に入るタイミングで、前記磁石移動駆動部が前記磁石を前記第二位置から前記第一位置へ移動させ、擬似球に及ぼす磁力を減少させて擬似球の自重によって擬似球を前記誘導通路から前記演出口に入球させることを特徴とする遊技機の擬似球演出装置。
【請求項２】
前記回転体を回転させる回転体駆動部と、
前記演出口の回転位置を検出する回転位置検出部と、
前記検出された回転位置に基づいて、前記回転体駆動部と前記磁石移動駆動部とを同期制御することにより、
擬似球を前記演出口に誘導し、入球させる制御装置と、
を備える請求項１の遊技機の擬似球演出装置。
【請求項３】
前記磁石が、前記回転体の中心に対して凸状の弧状に、孤の中心部が端部よりも前記誘導通路と近くなるように配置される請求項１または２の遊技機の擬似球演出装置。
【発明の詳細な説明】
【技術分野】
【０００１】
本発明は、弾球遊技機等の各種の遊技機に係り、特に、遊技機の遊技領域に発射された遊技球を所定の入賞に対応するように誘導する遊技機の擬似球演出装置である。
【背景技術】
【０００２】
特許文献１に示す通り、第一種遊技機と第三種遊技機とのそれぞれの遊技を組み合わせて、特別価値の発生確率がクルーン役物手段の形状その他の機械的要素に基本的に起因していて、必要に応じてコンピュータソフトによる制御を用いるようにして、遊技性が高く、面白みがある遊技機を提供するため、特別価値の発生確率が、当所予定された確率より大幅に低くなる場合には、磁力発生位置調整手段４０の磁性部材４６を環状部材２１の円周に沿って移動し、所定の位置に停止するようにし、クルーン役物手段２０に流下した遊技球が、所定の位置近傍に誘導され、所定の位置近傍にある特定の入賞穴２５に落とされ易くなり、特定の入賞穴２５に遊技球が連続して落とされ、三つの表示欄１７ａ，１７ｂ，１７ｃに特定の入賞穴２５に係る絵柄が揃い、特定絵柄が表示され、特別価値が発生し易くした発明が提案されている。
【０００３】
特許文献２に示す通り、所定の入賞に対応させるように遊技球を振り分けるにあたり、遊技球を、磁力を利用しつつも、遊技者に不自然に感じさせることなく転動させるようにした遊技機の振り分け装置を提供するため、遊技盤の遊技領域で転動する遊技球が球誘導部材１３０により誘導されてケーシング１００ａの蓋体１２０の円板状内側壁１２０ｂの上面の外周部上にその円周方向に向け落下すると、当該遊技球は、内側壁１２０ｂの上面の円周方向に沿い緩やかに転動しつつその中心Ｏｃに向けて螺旋状に転動する。このとき、磁石片１４２が、内側壁１２０ｂに設けた当たり孔部１２４ａの外周部の後側半円周部に下方から当接していると、当該遊技球は、その転動の勢いに伴い、磁石片１４２の磁力を受けて吸引されながら、当たり孔部１２４ａの外周部の上記後側半円周部に沿い外れ孔部１２３ａに向かうように転動する発明が提案されている。
【０００４】
特許文献３に示す通り、従来にない新規性の高い演出によって遊技者に対して面白みを与えることができる遊技台を提供するため、遊技球を所定の領域と所定の領域以外の領域に案内する磁石を備え、遊技球が所定の領域を通過した場合に抽選を行い、抽選に当選した場合に当選が確定したことを示唆しない情報を表示装置に表示し、その後に遊技球が所定の領域以外の領域を通過した場合に当選が確定したことを示唆する情報を表示装置に表示する。
【０００５】
【特許文献１】特開平１１−３３３０８０号公報
【特許文献２】特開２００９−２５４４８０号公報
【特許文献３】特開２００９−６６２７１号公報
【発明の開示】
【発明が解決しようとする課題】
【０００６】
しかしながら、従来技術に示す発明は、いずれも、磁石によって、遊技球を誘導させた後に、特定価値が発生させるものであり、特定価値が発生した後に、磁石を利用する発明は皆無である。また、引用発明１は磁石が円周方向に沿って移動するため、一長一短があった。引用発明２は構造が複雑である。引用発明３は、所定領域と所定領域以外の領域に案内するので、制御が複雑になるという問題がある。
【０００７】
本発明は、大当たり確定後の遊技球による演出性を向上させ、また、遊技機の制御を簡素化することを目的とする。
【課題を解決するための手段】
【０００８】
上記課題に鑑み、本発明は、演出口を有する回転体と、該演出口に遊技球を誘導するための横方向および奥行方向に延び遊技者から視認可能な誘導通路と、前記誘導通路への入球を検出する入球検出部を備える遊技機の擬似球演出装置であって、前記回転体の下部に配置され、磁石と、磁石を移動させる磁石移動駆動部と、前記磁石を第一位置と、該第一位置より前記回転体に近い第二位置との間で移動させる磁石移動装置を備え、前記磁石は、横長に、横長の長手方向の中心部が端部よりも前記誘導通路と近くなるように、前記誘導通路の下側に配置され、大当たりが決定した状態において、前記入球検出部による入球を検出すると、これに応答して、前記磁石移動駆動部が前記磁石を前記第一位置から前記第二位置へ移動させ、擬似球に及ぼす磁力を増大させて擬似球を前記誘導通路に留めて遊動させ、前記回転体の前記演出口に入るタイミングで、前記磁石移動駆動部が前記磁石を前記第二位置から前記第一位置へ移動させ、擬似球に及ぼす磁力を減少させて擬似球の自重によって擬似球を前記誘導通路から前記演出口に入球させることを特徴とする遊技機の擬似球演出装置である。ここでいう演出口には、Ｖ入賞口、チャンス穴、時短穴、通過孔等、種々の機能を実現するため遊技球が入球可能なものが挙げられる。ここでいう移動には、移動、スライド、往復動等が挙げられる。また、磁石には、励磁電流により磁界を発生する電磁石も含む。
【０００９】
本発明は、前記回転体を回転させる回転体駆動部と、前記演出口の回転位置を検出する回転位置検出部と、前記検出された回転位置に基づいて、前記回転体駆動部と前記磁石移動駆動部とを同期制御することにより、擬似球を前記演出口に誘導し、入球させる制御装置と、を備えることが好ましい。
【００１０】
本発明は、磁石が、前記回転体の中心に対して凸状の弧状に、孤の中心部が端部よりも前記誘導通路と近くなるように配置されることが好ましい。
【発明の効果】
【００１１】
本発明によれば、遊技機が内部的に大当たりを決め、大当たりが決まった状態でも、遊技者にとってはまだ大当たりはわからないので、大当たりを遊技者にわからせるため、本発明による回転体と磁石による演出をして、演出口に意図的に擬似球を入球させ、大当たりであるという演出をすることができる。また、液晶画面と連動させて数字が揃う等の演出と同時に演出口に入球させることもでき、そういった他の演出と組み合わせた演出も可能となる。これにより、大当たりが決まった状態での疑似的な演出を行い、趣興性を大いに高めることができる。さらに磁石により、環状通路で擬似球を留め、擬似球が遊んでいるように見せ、演出口に入球させることにより、趣興性を高めることができる。
【図面の簡単な説明】
【００１２】
【図１】本実施形態の遊技機の擬似球演出装置を示す平面図である。
【図２】本実施形態の遊技機の擬似球演出装置を示す正面図である。
【図３】本実施形態の遊技機の擬似球演出装置の筐体を取り外した状態を示す平面図である。
【図４】本実施形態の遊技機の擬似球演出装置の筐体を取り外した状態を示す正面図である。
【図５】本実施形態の遊技機の擬似球演出装置を示す分解斜視図である。
【発明を実施するための形態】
【００１３】
以下、本発明の実施形態の遊技機の擬似球演出装置１（以下単に、擬似球演出装置１という）につき図面を参照して説明する。一般的に二種遊技機等では、抽選してＶ入賞口に入ったら大当たりというのが一般的であるが、本発明は、大当たりが決まった状態で、そのあとに見せる演出としての構造を主眼とする。
【００１４】
擬似球演出装置１は、１つの演出口２、２つの非演出口２ａを有する回転体３と、この回転体３の外周囲に近接形成され遊技球４を回転体３へ誘導するための誘導通路５と、回転体３への入球を検出する入球検出部６を備えるものである。回転体３と誘導通路５は、遊技機の中央に搭載される回転体の役物である。この役物は回転体３に穴が３個開設されており、遊技球４がルーレットのように誘導通路５を回動し、３つの穴のうちのいずれか1つに入る仕組みになっている。その内、１つが演出口２である。また、擬似球演出装置１は、磁石７を上部に備え固定する磁石取付部８と、磁石取付部８を支持する支持体９と、を有し、誘導通路５の下部に配置され、第一位置Ｌとこれよりも位置が高く回転体３に近接する第二位置Ｈを採り、第一位置Ｌと第二位置Ｈの間で磁石を移動させる磁石移動装置１０を備えている。ここでは磁石７の移動は上下方向（昇降）の往復動が例示されている。
【００１５】
遊技機（図示略）が大当たりを決定した状態において、入球検出部６による遊技球４（以下、大当たり決定状態での遊技球を擬似球４という。）の入球を検出すると、これに応答して、第一位置Lから第二位置Hに磁石７と磁石取付部８が上昇し、磁石７が擬似球４に及ぼす磁力を増大させ、磁石７と磁石取付部８が第二位置Hから第一位置Lへ下降することにより、擬似球４に加わる磁石の磁力が弱まり、擬似球４が回転体３に落下し、演出口２に擬似球４が入球することを特徴とする。以下、詳細に説明する。
【００１６】
擬似球演出装置１は、溝１１〜１３を有する一対の側板１４、１５、溝１６〜１９を有する一枚の底板２０を備え、これにより筐体を構成する。溝１２に後述の傾斜板３０が嵌合される。溝１１に後述の通路盤５０が嵌合される。側板１４，１５の下部は溝１６，１７にそれぞれ嵌合される。溝１８は外部に開口する通路を構成する。
【００１７】
傾斜板３０は、後述の貫通穴５３からの遊技球を誘導する誘導溝３１、後述のフォト・センサ５９を収容する溝３２、歯車５７を軸支する軸受３３、歯車５６を軸支するボス３４を備えている。
【００１８】
誘導通路５が通路盤５０の中央部に形成されている。通路盤５０の誘導通路５の内側に回転体３を支持するための回転体支持盤５１が形成され、その中央部にボス５２、このボス５２の近辺に演出口２からの遊技球を通過させる貫通穴５３が形成される。また、回転体支持盤５１の奥には通過した遊技球４を排出する排出口５４が形成される。通路盤５０の下側に回転体３を回転駆動するための、回転軸５５を有し貫通穴が形成された歯車５６、この歯車５６と歯合する歯車５７、歯車５７を駆動するモータ５８を備えている。歯車５６に近接して歯車５６の位置を検出するフォト・センサ５９を備えている。これに基づいて、回転体３の演出口２の位置を検出する。
【００１９】
入球検出部６は、遊技球の通過を検出する遊技球センサ６０と、遊技球導入溝６１と遊技球穴６２とを有し遊技球センサ６０に遊技球を導入する遊技球導入部６３と、遊技球センサ６０を固定するための固定板６４を備えている。遊技球導入部６３が通路盤５０の一部を覆うように設置されている。
【００２０】
磁石７はネオジム磁石が好ましいが、例示でありこれに限定されるものではない。磁石７は複数個（ここでは６個）が並設されている。ここでは磁石７が横長に配列され（図では弧状に）配置されて、回転体３の中心に対して凸状配置となっている。また、磁石７は、誘導通路５の下側に配置される。磁石７が第二位置Ｈにおいて誘導通路５の直下に配置され、第一位置Ｌでは下方に離隔された位置に配置される。また磁石７は永久磁石が好ましい。磁石７に代えて、電磁石、例えば、磁性材料の芯のまわりに、コイルを巻き、通電することによって一時的に磁力を発生させ、電流を止めると磁力が失われるものとしてもよい。
【００２１】
磁石移動装置１０は、磁石取付部８として、磁石を固定する磁石固定板１０１、複数の磁石７を被覆する被覆部１０２、１０３を備えている。また、磁石固定板１０１の下部に上下に分割され嵌合可能な分割体１０４，１０５を備えている。さらに分割体１０４の上部に磁石固体板１０１が固定される。
【００２２】
分割体１０５に磁石移動駆動部として機能するソレノイド１０６が取り付けられ、ソレノイド１０６のプランジャーヘッドの端部が分割体１０５の下部１０７に固定されている。これらは、位置が固定されている分割カバー９ａ，９ｂに収容され、ソレノイド１０６の駆動で一体的に移動される。分割カバー９ｂの内側にソレノイド固定枠１１０が形成され、ソレノイド１０６が固定されている。図３では磁石７が第一位置Lであり、ソレノイド１０６が通電されると、矢印の通り、磁石７が上昇し、第二位置Hとなる。分割カバー９ｂがネジ部１１１で傾斜板３０の端部に固定される。
【００２３】
制御装置２５０が図５の点線で示す通り、モータ５８とソレノイド１０６にそれぞれ接続され、制御信号を送信する。この制御信号は、回転体３を駆動するモータ５８に同期して、ソレノイド１０６を制御することにより、擬似球４を必ず演出口２に入球させるように構成している。その制御は種々なる態様で設計可能であり、ソレノイド１０６による移動制御に同期して、回転体３を駆動するモータ５８に制御してもよい。制御信号は、マイクロコンピュータによるプログラムで設定することが好ましい。
【００２４】
次に擬似球演出装置１の動作を説明する。遊技機の大当たり状態は、例えば、内部的に始動口への入賞に起因する抽選によって大当たりを決める。内部的に大当たりが決まった状態でも、遊技者にとってはまだ大当たりはわからないのである。遊技機の大当たりが内部的に決まっていて、それを遊技者にわからせるために、回転体３と磁石７による同期制御により、擬似球４の演出を行い、演出口２に意図的に入球させ、大当たりであるという演出をする。また、例えば、液晶画面と連動させて３ケタの数字がそろうと同時に演出口２に入球させる等、共演的な役割も可能である。二種弾球遊技機の場合、直接、大当たり演出口に入ったら大当たりであるのに対し、本実施形態は、大当たりが決まった状態での疑似的な演出ということであり、対照的な演出である。
【００２５】
遊技機の大当たり状態において、擬似球４が遊技球誘導溝６１、遊技球穴６２を経て遊技球センサ６０で検出されると、ソレノイド１０６が通電し、プランジャーヘッドがソレノイド１０６に吸引され、磁石７と磁石取付部８が上昇する。そして、遊技球センサ６０で検出された擬似球４は誘導通路５に落下し、誘導通路５に沿って回動する。回転体３下側のモータ５８のステップ数をフォト・センサ５９で検出し、制御装置２５０が監視している。モータ５８のステップ数に基づいて、制御装置２５０は演出口２の回転位置を演算する。そして、その位置に対して、磁石７の上昇のタイミングを同期させて、磁石７の第二位置Ｈで擬似球４が磁力によって強制的に、その場に留まり、遊動又は停止させることができる。そして、演出口２の回転位置と同期させて演出口２に入るタイミングでソレノイド１０６を通電停止すれば、磁石７が下降し、磁力が弱くなって擬似球４に対する影響が少なくなり、擬似球４の自重によって誘導通路５から演出口２に落として、必ず擬似球４を演出口２に入球させることができる。そして、擬似球４は、貫通穴５３を経て、誘導溝３１に落下し、誘導されて、溝１８から排出される。
【００２６】
本実施形態によれば、遊技機が内部的に大当たりを決め、大当たりが決まった状態でも、遊技者にとってはまだ大当たりはわからないので、大当たりを遊技者にわからせるため、回転体３と磁石７による同期的な演出をして、演出口２に意図的に擬似球４を入球させ、大当たりであるという演出をする。また、液晶画面と連動させて数字が揃う等の演出と同時に演出口２に入球させることもでき、そういった他の演出と組み合わせた演出も可能となる。これにより、大当たりが決まった状態での疑似的な演出を行い、趣興性を大いに高めることができる。さらに磁石により、誘導通路５で擬似球４を留め、擬似球４が遊んでいるように見せ、演出口２に入球させることにより、趣興性を高めることもできる。
【００２７】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。上記実施形態では、磁石７の移動としては昇降を例示したが、別の形態としては、磁石７の昇降に代えて、磁石のスライドでもよく、スライドの方向には左右、前後、斜め等の種々の方向を含む。
【符号の説明】
【００２８】
１・・・擬似球演出装置
２・・・演出口
３・・・回転体
４・・・遊技球
５・・・誘導通路
６・・・入球検出部
７・・・磁石
８・・・磁石取付部
９・・・支持体
１０・・・磁石移動装置
Ｌ・・・第一位置
Ｈ・・・第二位置
１１〜１３・・・溝
１４、１５・・・側板
１６〜１９・・・溝
２０・・・底板
３０・・・傾斜板
３１・・・誘導溝
５９・・・フォト・センサ
３２・・・溝
５７・・・歯車
３３・・・軸受
５６・・・歯車
３４，５２・・・ボス
５０・・・通路盤
５１・・・回転体支持盤
５３・・・貫通穴
５４・・・排出口
５５・・・回転軸
５６，５７・・・歯車
５８・・・モータ
５９・・・フォト・センサ
６０・・・遊技球センサ
６１・・・導入溝
６２・・・遊技球穴
６３・・・遊技球導入部
６４・・・固定板
１０１・・・磁石固定板
１０２、１０３・・・被覆部
１０４，１０５・・・分割体
１０６・・・ソレノイド
１０７・・・分割体の下部
９ａ，９ｂ・・・分割カバー
１１０・・・ソレノイド固定枠
１１１・・・ネジ部
２５０・・・制御装置
【図１】
0005784444.tif 000002
【図２】
0005784444.tif 000003
【図３】
0005784444.tif 000004
【図４】
0005784444.tif 000005
【図５】
0005784444.tif 000006